(57)【要約】【課題】利用者の入力の負荷を減らす。【解決手段】目的地までの経路を案内するカーナビゲーション装置１０と、カーナビゲーション装置１０と通信可能な携帯電話４０と、を備えたナビゲーションシステムであって、携帯電話４０は、目的地として設定可能な住所を特定する住所情報を記憶するＵＳＩＭ２０と、ＵＳＩＭ２０に記憶された住所情報のうち、目的地として設定する住所を特定する住所情報の選択を受付ける受付部と、選択された住所情報をカーナビゲーション装置１０に送信する送信部と、を備え、カーナビゲーション装置１０は、住所情報を携帯電話４０から受信する受信部と、受信した住所情報で特定される住所を目的地に決定する決定部と、を備える。【選択図】図１
2010217112.tif 000002
【特許請求の範囲】
【請求項１】
目的地までの経路を案内するナビゲーション装置と、前記ナビゲーション装置と通信可能な携帯端末と、を備えたナビゲーションシステムであって、
前記携帯端末は、
前記目的地として設定可能な住所を特定する住所情報を記憶する記憶部と、
前記記憶部に記憶された前記住所情報から前記住所情報の選択を受付ける受付部と、
選択された前記住所情報を前記ナビゲーション装置に送信する送信部と、を備え、
前記ナビゲーション装置は、
前記住所情報を前記携帯端末から受信する受信部と、
受信した前記住所情報で特定される住所を前記目的地に決定する決定部と、
決定した前記目的地への経路を案内する案内部と、
を備えたことを特徴とするナビゲーションシステム。
【請求項２】
目的地までの経路を案内するナビゲーション装置と通信可能な携帯端末であって、
前記目的地として設定可能な住所を特定する住所情報を記憶する記憶部と、
前記記憶部に記憶された前記住所情報から前記住所情報の選択を受付ける受付部と、
選択された前記住所情報を前記ナビゲーション装置に送信する送信部と、
を備えたことを特徴とする携帯端末。
【請求項３】
前記記憶部は、前記携帯端末に挿脱可能な記憶媒体であること、
を特徴とする請求項２に記載の携帯端末。
【請求項４】
送信した前記住所情報で特定される住所に到着したことを表す到着情報を前記ナビゲーション装置から受信する受信部と、
受信した前記到着情報を、到着した住所の前記住所情報に対応づけて保存する保存部と、をさらに備えたこと、
を特徴とする請求項２に記載の携帯端末。
【請求項５】
前記住所情報を含む電子メールを受信する受信部と、
受信した前記電子メールに含まれる前記住所情報を前記記憶部に保存する保存部と、をさらに備えたこと、
を特徴とする請求項２に記載の携帯端末。
【請求項６】
前記受付部は、さらに、前記住所情報を含む表示画面を特定する識別情報の選択を受付け、
前記送信部は、さらに、選択された前記識別情報で特定される前記表示画面に含まれる前記住所情報を前記ナビゲーション装置に送信すること、
を特徴とする請求項２に記載の携帯端末。
【請求項７】
携帯端末と通信可能なナビゲーション装置であって、
目的地として設定可能な住所を特定する住所情報を前記携帯端末から受信する受信部と、
受信した前記住所情報で特定される住所を前記目的地に決定する決定部と、
決定した前記目的地への経路を案内する案内部と、
を備えたことを特徴とするナビゲーション装置。
【請求項８】
前記目的地に到着したことを表す到着情報を前記携帯端末に送信する送信部をさらに備えたこと、
を特徴とする請求項７に記載のナビゲーション装置。
【請求項９】
目的地までの経路を案内するナビゲーション装置と通信可能な、前記目的地として設定可能な住所を特定する住所情報を記憶する記憶部を備えた携帯端末を、
前記記憶部に記憶された前記住所情報から前記住所情報の選択を受付ける受付部と、
選択された前記住所情報を前記ナビゲーション装置に送信する送信部
として機能させるためのプログラム。
【請求項１０】
携帯端末と通信可能なナビゲーション装置を、
目的地として設定可能な住所を特定する住所情報を前記携帯端末から受信する受信部と、
受信した前記住所情報で特定される住所を前記目的地に決定する決定部と、
決定した前記目的地への経路を案内する案内部
として機能させるためのプログラム。
【発明の詳細な説明】
【技術分野】
【０００１】
本発明は、ナビゲーションシステム、携帯端末、ナビゲーション装置、およびプログラムに関する。
【背景技術】
【０００２】
ＧＰＳ（Global Positioning System：全地球測位システム）等によって自動車等の車両の走行位置を検出し、現在位置を道路地図上に表示して、出発地から目的地までの経路を案内するナビゲーションシステムが考案されている（例えば、特許文献１参照）。
【０００３】
このようなナビゲーションシステムによれば、目的地までの経路が未知の場合において、自動車に設置されたナビゲーションシステムに目的地を設定した後、ナビゲーションシステムにより案内される経路にしたがって目的地に向うことができる。
【０００４】
また、近年においては、徒歩による目的地までの経路が未知の場合においても、携帯電話等に内蔵されたナビゲーションシステムに目的地を設定した後、ナビゲーションシステムにより案内される経路にしたがって目的地に向うことが可能になっている。
【０００５】
すなわち、自動車と徒歩で目的地に向う場合には、まず、自動車に設置されたナビゲーションシステムに経由地を設定する。そして、自動車で経由地に到着後、携帯電話等に内蔵されたナビゲーションシステムに目的地を設定した後、ナビゲーションシステムの案内経路に従って徒歩で目的地に向うことになる。
【先行技術文献】
【特許文献】
【０００６】
【特許文献１】特開２００５−１３４３５２号公報
【発明の概要】
【発明が解決しようとする課題】
【０００７】
しかしながら、自動車と徒歩で目的地に向う場合においては、上述したように、自動車に設置されたナビゲーションシステムと携帯電話等に内蔵されたナビゲーションシステムとの両方に目的地（経由地）を設定しなければならない。このような設定作業を２度も行うことは、利用者にとって非常に煩わしいものとなっている。
【０００８】
また、例えば、携帯電話で取得した住所情報を元に目的地を決定した場合、携帯電話の表示画面を見ながら、自動車内のナビゲーションシステムに、利用者が住所等の情報を入力する必要があった。この場合、住所等の情報を、タッチパネルやリモコン等を使ってナビゲーションシステムに再度入力する必要があり非効率的であった。
【０００９】
本発明は、上記に鑑みてなされたものであって、利用者の入力の負荷を減らすことができるナビゲーション装置およびプログラムを提供することを目的とする。
【課題を解決するための手段】
【００１０】
上述した課題を解決し、目的を達成するために、本発明は、目的地までの経路を案内するナビゲーション装置と、前記ナビゲーション装置と通信可能な携帯端末と、を備えたナビゲーションシステムであって、前記携帯端末は、前記目的地として設定可能な住所を特定する住所情報を記憶する記憶部と、前記記憶部に記憶された前記住所情報から前記住所情報の選択を受付ける受付部と、選択された前記住所情報を前記ナビゲーション装置に送信する送信部と、を備え、前記ナビゲーション装置は、前記住所情報を前記携帯端末から受信する受信部と、受信した前記住所情報で特定される住所を前記目的地に決定する決定部と、を備えたことを特徴とする。本発明によれば、携帯端末に保存された住所情報から選択された住所情報を目的地として設定できるため、利用者の入力の負荷を減らすことができる。
【００１１】
また、本発明は、目的地までの経路を案内するナビゲーション装置と通信可能な携帯端末であって、前記目的地として設定可能な住所を特定する住所情報を記憶する記憶部と、前記記憶部に記憶された前記住所情報から前記住所情報の選択を受付ける受付部と、選択された前記住所情報を前記ナビゲーション装置に送信する送信部と、を備えたことを特徴とする。本発明によれば、携帯端末に保存された住所情報から選択された住所情報を目的地として設定するためにナビゲーション装置に送信できるため、利用者の入力の負荷を減らすことができる。
【００１２】
また、本発明は、携帯端末と通信可能なナビゲーション装置であって、目的地として設定可能な住所を特定する住所情報を前記携帯端末から受信する受信部と、受信した前記住所情報で特定される住所を前記目的地に決定する決定部と、決定した前記目的地への経路を案内する案内部と、を備えたことを特徴とする。本発明によれば、携帯端末から送信された住所情報を目的地に設定して経路を案内できるため、利用者の入力の負荷を減らすことができる。
【００１３】
また、本発明は、目的地までの経路を案内するナビゲーション装置と通信可能な、前記目的地として設定可能な住所を特定する住所情報を記憶する記憶部を備えた携帯端末を、前記記憶部に記憶された前記住所情報から前記住所情報の選択を受付ける受付部と、選択された前記住所情報を前記ナビゲーション装置に送信する送信部と、として機能させるためのプログラムである。本発明によれば、携帯端末に保存された住所情報から選択された住所情報を目的地として設定するためにナビゲーション装置に送信できるため、利用者の入力の負荷を減らすことができる。
【００１４】
また、本発明は、携帯端末と通信可能なナビゲーション装置を、目的地として設定可能な住所を特定する住所情報を前記携帯端末から受信する受信部と、受信した前記住所情報で特定される住所を前記目的地に決定する決定部と、決定した前記目的地への経路を案内する案内部と、として機能させるためのプログラムである。本発明によれば、携帯端末から送信された住所情報を目的地に設定して経路を案内できるため、利用者の入力の負荷を減らすことができる。
【発明の効果】
【００１５】
本発明によれば、利用者の入力の負荷を減らすことができるという効果を奏する。
【図面の簡単な説明】
【００１６】
【図１】図１は、本実施の形態にかかるナビゲーションシステムの概要を示すブロック図である。
【図２】図２は、カーナビゲーション装置のハードウェア構成の一例を示すブロック図である。
【図３】図３は、携帯電話の概略構成を示す正面図である。
【図４】図４は、携帯電話のハードウェア構成の一例を示すブロック図である。
【図５】図５は、サーバのハードウェア構成の一例を示すブロック図である。
【図６】図６は、本実施の形態にかかるナビゲーションシステムの各装置の機能構成の一例を示すブロック図である。
【図７】図７は、ＵＳＩＭに保存される住所情報のデータ構造の一例を示す図である。
【図８】図８は、ナビゲーションシステムによるナビゲーション処理の全体の流れを示すシーケンス図である。
【図９】図９は、保存処理で携帯電話に表示される表示画面の一例を示す図である。
【図１０】図１０は、案内処理で携帯電話に表示される表示画面の一例を示す図である。
【発明を実施するための形態】
【００１７】
以下に添付図面を参照して、この発明にかかるナビゲーションシステム、携帯端末、ナビゲーション装置、およびプログラムの最良な実施の形態を詳細に説明する。なお、この実施例によりこの発明が限定されるものではない。
【００１８】
図１は、本実施の形態にかかるナビゲーションシステムの概要を示すブロック図である。図１に示すように、本実施の形態のナビゲーションシステムは、ナビゲーション装置であるカーナビゲーション装置１０と、サーバ３０と、携帯端末としての携帯電話４０とが、ネットワーク５０で接続された構成となっている。なお、携帯端末は携帯電話４０に限るものではなく、ＰＨＳやノートＰＣなどであっても良い。
【００１９】
ネットワーク５０は、例えばＷｉＭＡＸ（Worldwide Interoperability for Microwave Access）に準拠した無線ネットワーク（無線通信網）によって構成できる。ＷｉＭＡＸは、高速で長い距離を伝送できる無線通信技術であり、数ｋｍから数十ｋｍまでの範囲で使用可能である。
【００２０】
携帯電話４０は、キー入力、インターネット閲覧、メール受信、およびバーコード読取などの方法により取得した住所情報を、記憶部として機能するＵＳＩＭ（User Subscriber Identity Module）２０に記憶する機能を備えている。住所情報とは、住所を特定可能な情報をいい、例えば、住所自体および電話番号などが該当する。本実施の形態では、ＵＳＩＭ２０に記憶された住所情報が、目的地として設定するためにカーナビゲーション装置１０に送信される。
【００２１】
カーナビゲーション装置１０は、概略的には、ＧＰＳ（Global Positioning System：全地球測位システム）等によって自動車等の車両の走行位置を検出し、現在位置を道路地図上に表示して、出発地から目的地までの経路を案内するものである。カーナビゲーション装置１０は、携帯電話４０に挿入されたＵＳＩＭ２０に記憶された情報を読み取り可能なインターフェースを備えている。例えば、カーナビゲーション装置１０は、ＮＦＣ（Near Field Communication）などの短距離無線通信規格に準拠した非接触ＲＷ（リーダライタ）により、同規格に準拠した携帯電話４０の非接触インターフェースを介してＵＳＩＭ２０内の情報を読み取る。
【００２２】
なお、ＵＳＩＭ２０の情報を読み取る方式は無線通信を利用した非接触方式に限られず、物理的な接触を前提とする接触方式を用いてもよい。また、利用可能な記憶媒体はＵＳＩＭ２０に限られず、ＩＣカード、ＳＤカード、および携帯電話４０本体に備えられたフラッシュメモリなどのあらゆる記憶媒体を用いることができる。
【００２３】
ただし、ＳＤカードは、主にメディアデータの記憶等に用いることを想定しているため、セキュリティレベルが低い。一方、ＵＳＩＭ２０は、電話番号等の利用者の識別情報を記憶することを想定している。このため、ＵＳＩＭ２０は、情報を暗号化して記憶することなどが可能であり、セキュリティレベルが高い。したがって、住所情報をセキュリティレベルの高いＵＳＩＭ２０に記憶することが望ましい。
【００２４】
サーバ３０は、ネットワーク５０を介して携帯電話４０と情報を送受信する機能を備えている。例えば、サーバ３０は、店舗ごとに備えられ、当該店舗の案内メールまたは割引クーポンメールなどを携帯電話４０に送信する。なお、１つのサーバ３０が複数の店舗に関する情報を携帯電話４０との間で送受信するように構成してもよい。
【００２５】
次に、カーナビゲーション装置１０、サーバ３０および携帯電話４０の構成および機能の詳細について説明する。
【００２６】
まず、カーナビゲーション装置１０のハードウェア構成について詳述する。図２は、カーナビゲーション装置１０のハードウェア構成の一例を示すブロック図である。
【００２７】
図２に示すように、カーナビゲーション装置１０は、主なハードウェア構成として、入力部１０１と、ＧＰＳアンテナ１０２と、ＧＰＳ受信部１０３と、車両センサ１０４と、ＲＡＭ（Random Access Memory）１０５と、通信部１０６と、通信制御部１０７と、記憶部１０８と、非接触ＲＷ１０９と、ＣＰＵ（Central Processing Unit）１１０と、音声出力制御部１１１と、スピーカ１１２と、描画プロセッサ１１３と、ＶＲＡＭ（Video Random Access Memory）１１４と、表示部１１５と、を備えている。
【００２８】
入力部１０１は、カーナビゲーション装置１０に対する操作を入力するタッチパネル、リモコンなどである。ＧＰＳアンテナ１０２は、ＧＰＳ衛星からの電波を受信する。ＧＰＳ受信部１０３は、ＧＰＳアンテナ１０２が受信した電波から、カーナビゲーション装置１０が搭載された車両の現在位置を計測する。車両センサ１０４は、車両の速度を計測する速度センサ、車両の傾きを計測するジャイロセンサなどである。
【００２９】
ＲＡＭ１０５は、ナビゲーション処理で用いる各種データを記憶する。ＲＡＭ１０５は、データを一時的に記憶するＤＲＡＭ（Dynamic Random Access Memory）、および電源が切られた場合にもデータを保持可能なフラッシュメモリなどを含む。
【００３０】
通信部１０６は、ネットワーク５０を介してサーバ３０などの外部装置との間で無線通信を行う。本実施の形態では、通信部１０６は、ＷｉＭＡＸに準拠した方法で無線通信を実行するが、携帯電話網など他の方法で通信するように構成してもよい。通信制御部１０７は、ＣＰＵ１１０からの指示にしたがい通信部１０６による無線通信を制御する。
【００３１】
記憶部１０８は、アプリケーションプログラムや地図情報などのナビゲーション処理に必要な情報を記憶する。記憶部１０８は、ＨＤＤ（Hard Disk Drive）、光ディスク、メモリカード、ＲＡＭなどの一般的に利用されているあらゆる記憶媒体により構成することができる。
【００３２】
非接触ＲＷ１０９は、非接触方式により、携帯電話４０に装着されたＵＳＩＭ２０に対する情報の読み書きを行う。上述のように、非接触ＲＷ１０９は、例えばＮＦＣなどの短距離無線通信規格に準拠した方式によりＵＳＩＭ２０に対してアクセスする。なお、ＵＳＩＭ２０の情報を接触方式により読み書きするように構成する場合は、非接触ＲＷ１０９の代わりに、適用する方式に準拠したリーダライタ等を備えればよい。
【００３３】
ＣＰＵ１１０は、カーナビゲーション装置１０の全体の動作を制御する。例えば、ＣＰＵ１１０は、記憶部１０８から各種アプリケーションプログラムを読み出して実行する処理を制御する。
【００３４】
音声出力制御部１１１は、ＣＰＵ１１０からの指示にしたがい、スピーカ１１２による音声出力処理を制御する。スピーカ１１２は、音声出力制御部１１１から入力された信号を音声として出力する。
【００３５】
描画プロセッサ１１３は、ＣＰＵ１１０からの指示にしたがい、指定された画像データを表示する処理を制御する。ＶＲＡＭ１１４は、表示する画像データを記憶する。表示部１１５は、描画プロセッサ１１３からの指示にしたがい画像データを表示する。
【００３６】
次に、携帯電話４０について説明する。図３は、携帯電話４０の概略構成を示す正面図である。なお、図３に示したような携帯電話４０の構成は一例であって、本発明を実現できる構成であれば、これに限定されるものではない。
【００３７】
ロッドアンテナ４０１は、無線電話に用いるアンテナであって、通常の携帯電話が備えるものである。
【００３８】
携帯電話４０の筐体２０２の片面には、種々の情報を表示する表示部であるＬＣＤ（Liquid Crystal Display）４０６が設けられている。ＬＣＤ４０６と同一平面には、キーパッドや動作選択ボタン等が配列された入力部４０９が備えられていて、電源のオン−オフ、表示選択や動作決定、あるいは文字入力等が可能となっている。これらは、通常の携帯電話の機能と同様のものである。なお、同図では特に図示しないが、当然のことながら、携帯電話４０にはマイクやスピーカなどの携帯電話に必要な様々な要素が備わっている。
【００３９】
加えて、携帯電話４０は、ＵＳＩＭ２０を装置本体に対して挿脱自在に内蔵することができる。
【００４０】
携帯電話４０に挿脱自在に内蔵されるＵＩＭ２０のＩＣチップ２０１には、アプリケーションプログラムが格納されるアプリケーション部（図示せず）、アプリケーション部の実行を制御するアプリケーションコントローラ部（図示せず）、および、アプリケーション部に格納されるアプリケーションプログラムを実行する際に用いる各種データを格納するデータ記憶部（図示せず）等が備えられている。
【００４１】
次に、携帯電話４０のハードウェア構成について詳述する。図４は、携帯電話４０のハードウェア構成の一例を示すブロック図である。
【００４２】
図４に示すように、携帯電話４０は、主なハードウェア構成として、ロッドアンテナ４０１と、ＲＦ（Radio  Frequency）／ＩＦ（Intermediate  Frequency）部４０２と、アナログベースバンドプロセッサ４０３と、スピーカ・マイク４０４と、音声入出力Ｉ／Ｆ（インターフェース）４０５と、ＬＣＤ４０６と、ＬＣＤドライバ４０７と、周辺機器４０８と、入力部４０９と、制御部４１０と、ＳＤカードＩ／Ｆ４１３と、ＵＳＩＭ  Ｉ／Ｆ４１４と、メモリ４１５と、アンテナ４１６と、非接触ＩＣ（Integrated Circuit）４１７と、を備えている。
【００４３】
ＲＦ／ＩＦ部４０２は、ロッドアンテナ４０１により受信された信号をアナログベースバンド信号に変換する。また、ＲＦ／ＩＦ部４０２は、アナログベースバンドプロセッサ４０３により出力されたアナログベースバンド信号をロッドアンテナ４０１から送信する信号に変換する。
【００４４】
アナログベースバンドプロセッサ４０３は、アナログベースバンド信号をデジタルベースバンド信号に変換する。
【００４５】
スピーカ・マイク４０４は、音声の出力および音声の入力を行う。音声入出力Ｉ／Ｆ４０５は、スピーカ・マイク４０４により音声を入出力するためのインターフェースである。
【００４６】
ＬＣＤドライバ４０７は、ＬＣＤ４０６を駆動するドライバである。周辺機器４０８は、ＬＣＤ４０６や入力部４０９などの他に接続しうる機器を表す。
【００４７】
制御部４１０は、デジタルベースバンド信号をアナログベースバンド信号に変換する処理等を行うデジタルベースバンドプロセッサ４１１と、メモリ４１５およびＵＳＩＭ２０等に記憶されたアプリケーションプログラムを実行するＣＰＵ４１２とを備えている。
【００４８】
ＳＤカードＩ／Ｆ４１３は、装着されたＳＤカードにアクセスするためのインターフェースである。ＵＳＩＭ  Ｉ／Ｆ４１４は、装着されたＵＳＩＭ２０にアクセスするためのインターフェースである。
【００４９】
メモリ４１５は、通話処理等で用いる各種データを記憶する。メモリ４１５は、データを一時的に記憶するＤＲＡＭ（Dynamic Random Access Memory）、ＳＲＡＭ（Static Random Access Memory）、および電源が切られた場合にもデータを保持可能なフラッシュメモリなどを含む。
【００５０】
アンテナ４１６は、カーナビゲーション装置１０との間で非接触方式により通信するためのアンテナである。非接触ＩＣ４１７は、当該非接触方式の通信プロトコルによる通信を制御するＩＣである。なお、ＵＳＩＭ２０が、非接触ＩＣ４１７の機能を備えるように構成してもよい。また、ＵＳＩＭ２０が、アンテナ４１６および非接触ＩＣ４１７の機能を備えるように構成してもよい。
【００５１】
次に、サーバ３０の構成について説明する。図５は、サーバ３０のハードウェア構成の一例を示すブロック図である。図５に示すように、サーバ３０は、情報処理を行うＣＰＵ２１などの制御装置と、ＢＩＯＳなどを記憶した読出し専用メモリであるＲＯＭ（Read Only Memory）２２や各種データを書換え可能に記憶するＲＡＭ２３などの記憶装置と、ネットワーク５０を介して外部の他のコンピュータなどと通信により情報を伝達するための通信Ｉ／Ｆ２４と、各種データベースとして機能するとともに各種のアプリケーションプログラムを記憶する記憶部であるＨＤＤ２５と、ＣＤ（Compact Disc）ドライブ装置などの外部記憶装置２６と、処理経過や結果等を操作者に表示するＬＣＤ等の表示装置２７と、操作者がＣＰＵ２１に命令や情報等を入力するためのキーボードやマウスなどの入力装置２８と、各部を接続するバス２９を備えており、通常のコンピュータを利用したハードウェア構成となっている。
【００５２】
次に、図１に示す各装置の機能の詳細について説明する。図６は、本実施の形態にかかるナビゲーションシステムの各装置の機能構成の一例を示すブロック図である。
【００５３】
図６に示すように、カーナビゲーション装置１０は、ＣＰＵ１１０が記憶部１０８に記憶されているアプリケーションプログラムに従って動作することにより、送受信部５０１と、決定部５０２と、案内部５０３と、を実現する。
【００５４】
送受信部５０１は、非接触ＲＷ１０９を介して、携帯電話４０との間で各種データを送受信する送信部および受信部として機能する。例えば、送受信部５０１は、住所情報を携帯電話４０から受信する。また、送受信部５０１は、受信した住所情報の住所を目的地として、当該目的地に到着した場合に、到着したことを表す到着情報を携帯電話４０に送信する。
【００５５】
決定部５０２は、送受信部５０１によって受信された住所情報で特定される住所を、経路案内の目的地に決定する。なお、住所情報を受信する代わりに、住所情報を取得するための情報を受信し、この情報にしたがって住所情報を取得するように構成してもよい。例えば、住所情報が記載されたインターネット上の情報を識別するためのＵＲＬ（Uniform Resource Locator）を受信するように構成してもよい。この場合、決定部５０２は、受信したＵＲＬで識別される情報から住所情報を取得し、取得した住所情報で特定される住所を、経路案内の目的地に決定する。
【００５６】
案内部５０３は、ＧＰＳ等によって検出した現在位置を道路地図上に表示しながら、指定された出発地から、指定された目的地までの経路を案内する。決定部５０２により受信された住所情報の住所が目的地として決定された場合は、案内部５０３は、決定された目的地への経路を案内する。
【００５７】
また、図６に示すように、携帯電話４０は、ＣＰＵ４１２がＵＳＩＭ２０等に記憶されているアプリケーションプログラムに従って動作することにより、送受信部５２１と、保存部５２２と、受付部５２３と、表示制御部５２４とを実現する。
【００５８】
送受信部５２１は、非接触ＩＣ４１７を介して、カーナビゲーション装置１０との間で各種データを送受信する送信部および受信部として機能する。例えば、送受信部５２１は、住所情報をカーナビゲーション装置１０に送信する。また、送受信部５２１は、到着情報をカーナビゲーション装置１０から受信する。
【００５９】
保存部５２２は、キー入力、インターネット閲覧、電子メール受信、およびバーコード読取などの方法により取得した住所情報をＵＳＩＭ２０に保存する。また、保存部５２２は、到着情報が受信されたときに、到着情報を、ＵＳＩＭ２０内に記憶された対応する住所情報に対応づけて保存する。
【００６０】
図７は、ＵＳＩＭ２０に保存される住所情報のデータ構造の一例を示す図である。図７に示すように、住所情報は、ヘッダと、氏名と、電話番号と、住所と、Ｗｅｂ  ｓｉｔｅ  ＵＲＬと、メールアドレスと、を含んでいる。また、住所情報は、到着情報（到着回数履歴）と対応づけられて記憶されている。
【００６１】
なお、同図では、対応する住所に到着した回数（到着回数履歴）として到着情報を記憶する例が示されている。また、同図は、一般的に用いられる電話帳の形式にしたがって住所情報を保存する場合の例を示している。なお、住所情報および到着情報のデータ形式は同図の例に限られるものではない。
【００６２】
受付部５２３は、ＵＳＩＭ２０に記憶された住所情報のうち、カーナビゲーション装置１０で目的地として設定する住所を表す住所情報の選択を受付ける。また、受付部５２３は、ＬＣＤ４０６に表示する表示画面の識別情報であるＵＲＬの選択を受付ける。ＵＲＬの選択を受付けた場合は、当該ＵＲＬに対応する表示画面内に含まれる住所情報が、目的地として設定する住所情報として利用される。なお、受付部５２３が、表示画面からさらに目的地として設定する住所の住所情報を受付けるように構成してもよい。
【００６３】
表示制御部５２４は、ＬＣＤ４０６に対する各種画面の表示処理を制御する。例えば、表示制御部５２４は、住所情報を選択するための選択画面をＬＣＤ４０６に表示する。
【００６４】
また、図６に示すように、サーバ３０は、ＣＰＵ２１がＨＤＤ２５に記憶されているアプリケーションプログラムに従って動作することにより、送受信部５１１と、判定部５１２とを実現する。
【００６５】
送受信部５１１は、携帯電話４０との間で各種データを送受信する。例えば、送受信部５１１は、店舗の案内メールを携帯電話４０に送信する。また、送受信部５１１は、携帯電話４０から、到着情報を受信する。なお、メールを送信するときに用いるメールアドレス等は、例えば、記憶部（図示せず）等に記憶された情報を参照して決定することができる。
【００６６】
判定部５１２は、携帯電話４０から到着情報を受信した場合に、受信した到着情報に応じて、送信するメールの種類を判定する。例えば、判定部５１２は、到着情報を受信したときに、店舗の割引クーポンを携帯電話４０に送信すると判定する。
【００６７】
次に、このように構成された本実施の形態のナビゲーションシステムによるナビゲーション処理について図８〜図１０を用いて説明する。図８は、ナビゲーションシステムによるナビゲーション処理の全体の流れを示すシーケンス図である。ナビゲーション処理は、サーバ３０から送信したメールに記載された住所情報をＵＳＩＭ２０に保存する保存処理と、選択された住所情報を目的地として経路を案内する案内処理とを含む。
【００６８】
図９は、保存処理で携帯電話４０に表示される表示画面の一例を示す図である。図１０は、案内処理で携帯電話４０に表示される表示画面の一例を示す図である。
【００６９】
最初に、保存処理（ステップＳ８０１〜ステップＳ８０３）について説明する。なお、保存処理は必須ではなく、例えば、携帯電話４０またはＵＳＩＭ２０内に既に登録されている住所情報を用いるように構成してもよい。
【００７０】
保存処理では、まず、サーバ３０が、ある店舗の情報等を利用者に通知するための案内メールを、携帯電話４０に送信する（ステップＳ８０１）。携帯電話４０の送受信部５２１は案内メールを受信し、保存部５２２が受信した案内メールをメモリ４１５等に保存する。また、表示制御部５２４が、受信した案内メールをＬＣＤ４０６に表示する。図９の左の表示画面が、このときに表示される画面の例を表している。同図に示すように、案内メールには、店舗の電話番号、住所、およびＵＲＬ等が含まれている。
【００７１】
次に、受付部５２３が、表示された案内メール内でユーザが選択した住所情報を受付ける（ステップＳ８０２）。図９の中央の表示画面が、保存すべき住所情報を選択した状態の画面の例を表している。同図に示すように、所定の選択機能により、利用者が選択した案内メール内の電話番号、住所、およびＵＲＬが受付けられる。
【００７２】
利用者が、選択した住所情報を保存するための所定のボタン等（図９の例では「登録」ボタン）を指定すると、保存部５２２が、選択された住所情報をＵＳＩＭ２０内に保存する（ステップＳ８０３）。
【００７３】
なお、ステップＳ８０１で案内メールから住所情報を選択して保存する代わりに、携帯電話４０でインターネットを閲覧することにより、目的地とする店舗等に関する情報を検索し、検索した情報から住所情報を選択して保存するように構成してもよい。
【００７４】
次に、案内処理（ステップＳ８０４〜ステップＳ８１５）について説明する。まず、受付部５２３が、目的地とする住所情報の選択を受付ける（ステップＳ８０４）。図１０の左および中央の表示画面が、住所情報の選択を受付けるときの表示画面の例を表している。すなわち、図１０の左の表示画面に示すように、利用者が電話帳の一覧から目的地とする住所に対応する情報を選択すると、図１０の中央の表示画面に示すように、選択した情報に対応する電話番号等の詳細情報が表示される。同図では、中央の表示画面に示すように、利用者が電話番号を住所情報として選択した例が示されている。受付部５２３は、このようにして選択された住所情報を受付ける。
【００７５】
利用者が、選択した住所情報を目的地として設定するための所定のボタン等（図１０の例では「非接触」ボタン）を指定すると、例えば同図の右の表示画面が表示される。すなわち、選択した住所情報を、携帯電話４０の非接触Ｉ／Ｆ（アンテナ４１６および非接触ＩＣ４１７）、および、カーナビゲーション装置１０の非接触ＲＷ１０９を介して送信することを表すメッセージが表示される。
【００７６】
利用者が住所情報の送信を指示した場合（図１０の例では「はい」ボタン押下）、選択された住所情報がカーナビゲーション装置１０に送信される（ステップＳ８０５、ステップＳ８０６）。
【００７７】
カーナビゲーション装置１０の送受信部５０１は、送信された住所情報を受信する。案内部５０３は、受信された住所情報から、予めシステムが保持している地図データ上での当該住所情報が表す地点の位置を特定する。そして、特定した地点を地図データ上に合成し、地図データを表示部１１５に表示する（ステップＳ８０７）。
【００７８】
また、決定部５０２は、この地点を経路案内の目的地として決定する（ステップＳ８０８）。なお、受信した住所情報に対応する地点を目的地として設定するか否かを確認するダイアログ画面を表示し、利用者が目的地として設定してよいことを指示した場合に、決定部５０２が受信した住所情報に対応する地点を目的地として決定するように構成してもよい。
【００７９】
この後、案内部５０３は、目的地までの経路案内（ナビゲーション処理）を開始する（ステップＳ８０９）。目的地に到着した場合、案内部５０３は、目的地に到着したことを表す到着情報を携帯電話４０に送信することを促すメッセージ等を表示部１１５に表示する（ステップＳ８１０）。例えば、案内部５０３は、到着情報を書き込むために携帯電話４０を非接触ＲＷ１０９にかざすよう促すメッセージを表示部１１５に表示する。
【００８０】
携帯電話４０が非接触ＲＷ１０９に近づけられると、カーナビゲーション装置１０の送受信部５０１は、非接触ＲＷ１０９を介して到着情報を携帯電話４０に送信する（ステップＳ８１１、ステップＳ８１２）。
【００８１】
携帯電話４０の送受信部５２１は、送信された到着情報を受信する（ステップＳ８１３）。保存部５２２は、受信された到着情報を対応する住所情報に対応づけてＵＳＩＭ２０内に保存する（ステップＳ８１４）。
【００８２】
このように到着情報を携帯電話４０に返信することにより、例えば以下のような処理が実行可能となる。すなわち、携帯電話４０の送受信部５２１は、到着情報を受信したことを契機として、到着情報をサーバ３０に送信する（ステップＳ８１５）。なお、送信先とするサーバ３０は、到着情報に対応づけられた住所情報により特定することができる。サーバ３０の送受信部５１１は、到着情報を受信すると、到着情報に応じたクーポンメール等を、到着情報を送信した携帯電話４０宛に送信する（ステップＳ８１６）。
【００８３】
このとき、サーバ３０の判定部５１２が、例えば、（１）到着回数履歴が多いほど割引率の大きいクーポンとする、（２）到着時刻に応じてランチクーポン、ディナークーポン等のように種類を分ける、などのような規則にしたがって送信するクーポンメールの種類を判定するように構成してもよい。
【００８４】
このようにして、携帯電話４０の利用者は、必要なタイミングで適切なクーポンを入手して利用することが可能となる。なお、到着情報の利用方法はこれに限られるものではない。例えば、到着回数履歴が大きい住所情報ほど、一覧画面で表示するときに優先して表示するように構成することもできる。すなわち、到着回数履歴の値に応じて住所情報を重み付けするように構成してもよい。
【００８５】
上記説明では、ＵＳＩＭ２０に保存されて住所情報から、目的地として設定する住所情報を選択していた。これに対し、例えばインターネット閲覧等により入手した住所情報を、ＵＳＩＭ２０に登録せず、直接目的地とする住所情報としてカーナビゲーション装置１０に送信するように構成してもよい。例えば、図９の中央の表示画面の「登録」ボタンの代わりに「非接触」ボタンを設け、この「非接触」ボタンが押下された場合は、選択された住所情報をＵＳＩＭ２０に登録せずにカーナビゲーション装置１０に送信するように構成してもよい。この場合、例えば到着情報を受信したときに、対応する住所情報をＵＳＩＭ２０に登録するように構成してもよい。
【００８６】
また、インターネット閲覧等に用いるＵＲＬは、携帯電話４０のメモリ４１５またはＵＳＩＭ２０などに予め保存されているブックマークから指定するように構成してもよい。
【００８７】
このように、本実施の形態のナビゲーションシステムによれば、携帯電話に保存されている住所情報等を、経路案内の目的地として、非接触Ｉ／Ｆ等によりナビゲーション装置に送信することができる。これにより、目的地を設定するときの利用者の入力の負荷を減らすことができる。
【００８８】
また、店舗への集客のための広告メールや優待クーポン等は、携帯電話に対して電子メールで送られる場合が多いが、このような情報を、ナビゲーション装置で活用することが容易となる。
【００８９】
また、本実施の形態のナビゲーションシステムでは、目的地に到着したことを表す情報を携帯電話側に戻すことができる。これにより、例えば目的地である店舗に到着したことを契機として、割引クーポンを送付するなどのように、ナビゲーションに関する移動情報を更なる情報配信のトリガーとすることができる。
【００９０】
本実施の形態にかかる携帯端末で実行されるプログラムは、インストール可能な形式又は実行可能な形式のファイルでＣＤ−ＲＯＭ（Compact Disk Read Only Memory）、フレキシブルディスク（ＦＤ）、ＣＤ−Ｒ（Compact Disk Recordable）、ＤＶＤ（Digital Versatile Disk）、ＩＣカード、およびメモリカード等のコンピュータで読み取り可能な記録媒体に記録されて提供される。
【００９１】
また、本実施の形態にかかる携帯端末で実行されるプログラムを、インターネット等のネットワークに接続されたコンピュータ上に格納し、ネットワーク経由でダウンロードさせることにより提供するように構成してもよい。また、本実施の形態にかかる携帯端末で実行されるプログラムをインターネット等のネットワーク経由で提供または配布するように構成してもよい。
【００９２】
また、本実施の形態にかかる携帯端末で実行されるプログラムを、ＲＯＭ等に予め組み込んで提供するように構成してもよい。
【００９３】
なお、本実施の形態にかかる携帯端末で実行されるプログラムは、上述した各部（送受信部、保存部、受付部、表示制御部）を含むモジュール構成となっており、実際のハードウェアとしてはＣＰＵ４１２（プロセッサ）が上記記憶媒体からプログラムを読み出して実行することにより上記各部が主記憶装置上にロードされ、上述した各部が主記憶装置上に生成されるようになっている。
【００９４】
また、本実施の形態にかかるナビゲーション装置で実行されるプログラムは、インストール可能な形式又は実行可能な形式のファイルでＣＤ−ＲＯＭ（Compact Disk Read Only Memory）、フレキシブルディスク（ＦＤ）、ＣＤ−Ｒ（Compact Disk Recordable）、ＤＶＤ（Digital Versatile Disk）等のコンピュータで読み取り可能な記録媒体に記録されて提供される。
【００９５】
また、本実施の形態にかかるナビゲーション装置で実行されるプログラムを、インターネット等のネットワークに接続されたコンピュータ上に格納し、ネットワーク経由でダウンロードさせることにより提供するように構成してもよい。また、本実施の形態にかかるナビゲーション装置で実行されるプログラムをインターネット等のネットワーク経由で提供または配布するように構成してもよい。
【００９６】
また、本実施の形態にかかるナビゲーション装置で実行されるプログラムを、ＲＯＭ等に予め組み込んで提供するように構成してもよい。
【００９７】
なお、本実施の形態にかかるナビゲーション装置で実行されるプログラムは、上述した各部（送受信部、決定部、案内部）を含むモジュール構成となっており、実際のハードウェアとしてはＣＰＵ１１０（プロセッサ）が上記記憶媒体からプログラムを読み出して実行することにより上記各部が主記憶装置上にロードされ、上述した各部が主記憶装置上に生成されるようになっている。
【産業上の利用可能性】
【００９８】
以上のように、本発明にかかるナビゲーションシステム、携帯端末、ナビゲーション装置、およびプログラムは、非接触方式等により相互に通信可能なカーナビゲーション装置および携帯電話などに適している。
【符号の説明】
【００９９】
５０  ネットワーク
３０  サーバ
２１  ＣＰＵ
２２  ＲＯＭ
２３  ＲＡＭ
２４  通信Ｉ／Ｆ
２５  ＨＤＤ
２６  外部記憶装置
２７  表示装置
２８  入力装置
２９  バス
１０  カーナビゲーション装置
１０１  入力部
１０２  ＧＰＳアンテナ
１０３  ＧＰＳ受信部
１０４  車両センサ
１０５  ＲＡＭ
１０６  通信部
１０７  通信制御部
１０８  記憶部
１０９  非接触ＲＷ
１１０  ＣＰＵ
１１１  音声出力制御部
１１２  スピーカ
１１３  描画プロセッサ
１１４  ＶＲＡＭ
１１５  表示部
４０  携帯電話
２０２  筐体
４０１  ロッドアンテナ
４０２  ＲＦ／ＩＦ部
４０３  アナログベースバンドプロセッサ
４０４  スピーカ・マイク
４０５  音声入出力Ｉ／Ｆ
４０６  ＬＣＤ
４０７  ＬＣＤドライバ
４０８  周辺機器
４０９  入力部
４１０  制御部
４１１  デジタルベースバンドプロセッサ
４１２  ＣＰＵ
４１３  ＳＤカードＩ／Ｆ
４１４  ＵＳＩＭ  Ｉ／Ｆ
４１５  メモリ
４１６  アンテナ
４１７  非接触ＩＣ
５０１  送受信部
５０２  決定部
５０３  案内部
５１１  送受信部
５１２  判定部
５２１  送受信部
５２２  保存部
５２３  受付部
５２４  表示制御部
【図１】
2010217112.tif 000003
【図２】
2010217112.tif 000004
【図３】
2010217112.tif 000005
【図４】
2010217112.tif 000006
【図５】
2010217112.tif 000007
【図６】
2010217112.tif 000008
【図７】
2010217112.tif 000009
【図８】
2010217112.tif 000010
【図９】
2010217112.tif 000011
【図１０】
2010217112.tif 000012